(57)【要約】【課題】本発明は、ドロップアウトカラーを適切にかつ短時間に除去して原稿の画像を読み取る画像読取装置に関する。【解決手段】ファクシミリ装置１は、光源部２１が、Ｒ色、Ｇ色、Ｂ色を発光するＬＥＤ３１Ｒ、３１Ｇ、３１Ｂを備え、イメージセンサ２３が、Ｒ色とＧ色を透過するＹフィルタ４３Ｙ及びＲ色とＢ色を透過するＣフィルタ４３Ｃを備え、操作部でドロップアウトカラーが指定されると、点灯順序指定部５４が発光色と発光順序を指定し、光源駆動部５２が当該指定に応じてＬＥＤ３１Ｒ、３１Ｇ、３１Ｂを点灯駆動させ、イメージセンサ２３が、ＬＥＤ３１Ｒの点灯時には、Ｙフィルタ４３ＹとＣフィルタ４３Ｃ位置に対応する画素がＲ色のみを受光し、ＬＥＤ３１Ｇ、３１Ｂの点灯時には、Ｙフィルタ４３Ｙ位置に対応する画素がＧ色を受光し、Ｃフィルタ４３Ｃ位置に対応する画素がＢ色を受光する。【選択図】          図１
2005159734.tif 000002
【特許請求の範囲】
【請求項１】
読取時に除去される色であるドロップアウトカラーで囲まれた画像の描かれている原稿に複数色の光を選択的に発光して照射する光源部と、前記原稿と前記光源部とを副走査方向に相対的に移動させる移動手段と、前記移動手段で前記光源部と相対移動される前記原稿からの反射光を画像光として受光して主走査方向に１ライン分ずつ光電変換する受光素子と、前記ドロップアウトカラーを指定するドロップアウトカラー指定手段と、前記ドロップアウトカラー指定手段で指定されたドロップアウトカラーに基づいて前記光源部の発光色と当該発光色の発光順序を指定する順序指定手段と、前記原稿と前記光源部とが副走査方向に主走査方向の１ライン分に相当する距離を相対移動する毎に、前記順序指定手段の指定する発光色の光を指定された発光順序に従って切り換えさせて前記光源部を点灯させる発光色切換手段と、前記発光色切換手段の切り換えた前記光源部の発光色毎に前記受光素子の受光した画像光から、前記ドロップアウトカラー指定手段で指定されたドロップアウトカラーで形成された画像を除去したモノクロ画像を生成するモノクロ画像生成手段と、を備えた画像読取装置であって、前記光源部は、第１色を発光する第１光源と、第２色及び第３色を発光する第２光源とを備え、前記受光素子は、前記第１色及び前記第２色を受光する第１分光感度特性を有する第１受光素子と、前記第１色及び前記第３色を受光する第２分光感度特性を有する第２受光素子とを備え、前記順序指定手段は、前記ドロップアウトカラー指定手段で指定されたドロップアウトカラーに基づいて、前記光源部の発光色と発光順序として、前記第１色、第２色及び第３色と当該発光順序を指定し、前記発光色切換手段は、当該順序指定手段の指定する第１色、第２色、第３色の発光色の光を指定された発光順序に従って切り換えて前記光源部の第１光源と第２光源を点灯駆動させ、前記第１光源から前記原稿を照射した際には、前記第１受光素子と前記第２受光素子が第１色のみを受光し、前記第２光源から前記原稿を照射した際には、前記第１受光素子が前記第２色を受光し、前記第２受光素子が前記第３色を受光することを特徴とする画像読取装置。
【請求項２】
前記画像読取装置は、前記原稿のドロップアウト領域を指定するドロップアウト領域指定手段を備え、前記順序指定手段は、前記ドロップアウト領域指定手段で指定されたドロップアウト領域内で前記光源部の発光色と当該発光色の発光順序を指定することを特徴とする請求項１記載の画像読取装置。
【請求項３】
前記ドロップアウト領域指定手段は、前記受光素子による読取ライン単位で前記ドロップアウト領域の指定を行うことを特徴とする請求項２記載の画像読取装置。
【請求項４】
前記ドロップアウト領域指定手段は、前記受光素子の読取ライン方向の任意の位置から前記ドロップアウト領域を指定することを特徴とする請求項２または請求項３記載の画像読取装置。
【請求項５】
前記ドロップアウトカラー指定手段は、前記ドロップアウト領域指定手段で指定された前記ドロップアウト領域毎に、前記ドロップアウトカラーを指定し、前記順序指定手段は、当該ドロップアウトカラー指定手段で指定された前記ドロップアウト領域毎のドロップアウトカラーに基づいて当該ドロップアウト領域毎に前記光源部の発光色と当該発光色の発光順序を指定し、前記モノクロ画像生成手段は、前記ドロップアウト領域指定手段で指定された前記ドロップアウト領域毎に、当該ドロップアウト領域に対して前記ドロップアウトカラー指定手段で指定されたドロップアウトカラーの画像を除去したモノクロ画像を生成することを特徴とする請求項２から請求項４のいずれかに記載の画像読取装置。
【発明の詳細な説明】
【技術分野】
【０００１】
本発明は、画像読取装置に関し、詳細には、ドロップアウトカラーを適切にかつ短時間に除去して原稿の画像を読み取る画像読取装置に関する。
【背景技術】
【０００２】
光学文字読取装置等の画像読取装置では、帳簿等の文字と着色した枠線が記載された原稿を読み取ることがあり、このような場合、枠線は画像読取装置が読み取らない色（ドロップアウトカラー）で印刷されていて、画像読取装置は、枠線を読み取らずに、文字のみを抽出して、読み取る（特許文献１等参照）。
【０００３】
ところが、ドロップアウトカラーは原稿の種類により異なるが、従来の画像読取装置では、複数のドロッププアウトカラーに対応できないという問題点があった。
【０００４】
そこで、従来、複数色の光源を用いそれらの光源を原稿上で加色混合することで、複数のドロップアウトカラーを読み取る画像読取装置が提案されている（特許文献２参照）。
【０００５】
また、従来、複数の発光色を選択的に発光する照明光源の発光色を、原稿の読み取る領域に応じて切り換えて発光させることで、除去対象画像と同色の画像をも読み取る画像読取装置が提案されている（特許文献３参照）。
【０００６】
【特許文献１】特開平１０−１８７８８２号公報
【特許文献２】特開平８−１７２５４２号公報
【特許文献３】特開２０００−２９５４２３号公報
【発明の開示】
【発明が解決しようとする課題】
【０００７】
しかしながら、上記従来技術にあっては、ドロップアウトからを正確に除去する上で、改良の必要があった。
【０００８】
すなわち、加色混合の場合、カラーレスポンスは各色の出力の比率により決定され、図２２に示すように、ラインセンサーの画素間で各色の出力比が異なると、ドロップアウトが適切に行われないことがある。
【０００９】
また、Ｒ、Ｇ、Ｂの３色の画像を読み取り、ドロップアウトカラーを指定して画像から除去する方法もあるが、光源切換方式の画像読取装置では、Ｒ、Ｇ、Ｂの３ラインのセンサ出力から１つの画像ラインを作り出すことになるめ、通常のモノクロ読み取りの場合と比較すると、読み取りに３倍の時間を要することになり、改良の必要があった。
【００１０】
そこで、本発明は、ドロップアウトに必要な色の光源のみを切り換えて点灯させて、当該光源の照射された原稿からの反射光の読み取り結果からモノクロ画像を生成して、複数のドロップアウトカラーを正確にかつ短時間に除去する画像読取装置を提供することを目的としている。
【００１１】
具体的には、請求項１記載の発明は、読取時に除去される色であるドロップアウトカラーで囲まれた画像の描かれている原稿に複数色の光を選択的に発光する光源部から照射して、移動手段によって光源部と相対移動される原稿からの反射光を、受光素子で、画像光として受光して主走査方向に１ライン分ずつ光電変換し、ドロップアウトカラー指定手段で指定されたドロップアウトカラーに基づいて、順序指定手段で、光源部の発光色と当該発光色の発光順序が指定されると、発光色切換手段が、原稿と光源部とが副走査方向に主走査方向の１ライン分に相当する距離を相対移動する毎に、当該順序指定手段の指定する発光色の光を指定された発光順序に従って切り換えさせて光源部を点灯させ、モノクロ画像生成手段が、この発光色切換手段の切り換えた光源部の発光色毎に受光素子の受光した画像光から、ドロップアウトカラー指定手段で指定されたドロップアウトカラーで形成された画像を除去したモノクロ画像を生成するに際して、光源部を、第１色を発光する第１光源と、第２色及び第３色を発光する第２光源とを備えたものとし、受光素子を、第１色及び第２色を受光する第１分光感度特性を有する第１受光素子と、第１色及び第３色を受光する第２分光感度特性を有する第２受光素子とを備えたものとし、順序指定手段で、ドロップアウトカラー指定手段で指定されたドロップアウトカラーに基づいて、光源部の発光色と発光順序として、第１色、第２色及び第３色と当該発光順序が指定されると、発光色切換手段が、当該順序指定手段の指定する第１色、第２色、第３色の発光色の光を指定された発光順序に従って切り換えて光源部の第１光源と第２光源を点灯駆動させ、第１光源から原稿を照射した際には、第１受光素子と第２受光素子が第１色のみを受光し、第２光源から原稿を照射した際には、第１受光素子が第２色を受光し、第２受光素子が第３色を受光することにより、ドロップアウトカラーの画像のみをドロップアウトするのに必要な色の光源のみを切り換えて点灯させて、モノクロ画像の読み取りを行い、読取速度を向上させつつ、ドロップアウトカラーを正確に除去する画像読取装置を提供することを目的としている。
【００１２】
請求項２記載の発明は、原稿のドロップアウト領域を指定するドロップアウト領域指定手段でドロップアウト領域が指定されると、順序指定手段が、当該ドロップアウト領域指定手段で指定されたドロップアウト領域内で光源部の発光色と当該発光色の発光順序を指定することにより、ドロップアウトの必要な領域のみで、ドロップアウトに必要な色の光源のみを切り換えて点灯させて、モノクロ画像の読み取りを行い、読取速度をより一層向上させつつ、ドロップアウトカラーを正確に除去する画像読取装置を提供することを目的としている。
【００１３】
請求項３記載の発明は、ドロップアウト領域指定手段が、受光素子による読取ライン単位でドロップアウト領域の指定を行うことにより、読取ライン単位毎に指定されたドロップアウトの必要な領域のみで、ドロップアウトに必要な色の光源のみを切り換えて点灯させて、モノクロ画像の読み取りを行い、読取速度をより一層向上させつつ、ドロップアウトカラーを正確に除去する画像読取装置を提供することを目的としている。
【００１４】
請求項４記載の発明は、ドロップアウト領域指定手段が、受光素子の読取ライン方向の任意の位置からドロップアウト領域を指定することにより、読取ラインの任意の位置から指定されたドロップアウトの必要な領域のみで、ドロップアウトに必要な色の光源のみを切り換えて点灯させて、モノクロ画像の読み取りを行い、読取速度をより一層向上させつつ、ドロップアウトカラーを正確に除去する画像読取装置を提供することを目的としている。
【００１５】
請求項５記載の発明は、ドロップアウトカラー指定手段が、ドロップアウト領域指定手段で指定されたドロップアウト領域毎に、ドロップアウトカラーを指定し、順序指定手段が、当該ドロップアウトカラー指定手段で指定されたドロップアウト領域毎のドロップアウトカラーに基づいて当該ドロップアウト領域毎に光源部の発光色と当該発光色の発光順序を指定し、モノクロ画像生成手段が、ドロップアウト領域指定手段で指定されたドロップアウト領域毎に、当該ドロップアウト領域に対してドロップアウトカラー指定手段で指定されたドロップアウトカラーの画像を除去したモノクロ画像を生成することにより、指定されたドロップアウトカラー毎に画像処理方法を変更して、２色以上のドロップアウトカラーを含む原稿においても、ドロップアウトの必要な領域のみで、ドロップアウトに必要な色の光源のみを切り換えて点灯させて、モノクロ画像の読み取りを行い、読取速度をより一層向上させつつ、ドロップアウトカラーをより一層正確に除去する画像読取装置を提供することを目的としている。
【課題を解決するための手段】
【００１６】
請求項１記載の発明の画像読取装置は、読取時に除去される色であるドロップアウトカラーで囲まれた画像の描かれている原稿に複数色の光を選択的に発光して照射する光源部と、前記原稿と前記光源部とを副走査方向に相対的に移動させる移動手段と、前記移動手段で前記光源部と相対移動される前記原稿からの反射光を画像光として受光して主走査方向に１ライン分ずつ光電変換する受光素子と、前記ドロップアウトカラーを指定するドロップアウトカラー指定手段と、前記ドロップアウトカラー指定手段で指定されたドロップアウトカラーに基づいて前記光源部の発光色と当該発光色の発光順序を指定する順序指定手段と、前記原稿と前記光源部とが副走査方向に主走査方向の１ライン分に相当する距離を相対移動する毎に、前記順序指定手段の指定する発光色の光を指定された発光順序に従って切り換えさせて前記光源部を点灯させる発光色切換手段と、前記発光色切換手段の切り換えた前記光源部の発光色毎に前記受光素子の受光した画像光から、前記ドロップアウトカラー指定手段で指定されたドロップアウトカラーで形成された画像を除去したモノクロ画像を生成するモノクロ画像生成手段と、を備えた画像読取装置であって、前記光源部は、第１色を発光する第１光源と、第２色及び第３色を発光する第２光源とを備え、前記受光素子は、前記第１色及び前記第２色を受光する第１分光感度特性を有する第１受光素子と、前記第１色及び前記第３色を受光する第２分光感度特性を有する第２受光素子とを備え、前記順序指定手段は、前記ドロップアウトカラー指定手段で指定されたドロップアウトカラーに基づいて、前記光源部の発光色と発光順序として、前記第１色、第２色及び第３色と当該発光順序を指定し、前記発光色切換手段は、当該順序指定手段の指定する第１色、第２色、第３色の発光色の光を指定された発光順序に従って切り換えて前記光源部の第１光源と第２光源を点灯駆動させ、前記第１光源から前記原稿を照射した際には、前記第１受光素子と前記第２受光素子が第１色のみを受光し、前記第２光源から前記原稿を照射した際には、前記第１受光素子が前記第２色を受光し、前記第２受光素子が前記第３色を受光することにより、上記目的を達成している。
【００１７】
この場合、例えば、請求項２に記載するように、前記画像読取装置は、前記原稿のドロップアウト領域を指定するドロップアウト領域指定手段を備え、前記順序指定手段は、前記ドロップアウト領域指定手段で指定されたドロップアウト領域内で前記光源部の発光色と当該発光色の発光順序を指定するものであってもよい。
【００１８】
また、例えば、請求項３に記載するように、前記ドロップアウト領域指定手段は、前記受光素子による読取ライン単位で前記ドロップアウト領域の指定を行うものであってもよい。
【００１９】
さらに、例えば、請求項４に記載するように、前記ドロップアウト領域指定手段は、前記受光素子の読取ライン方向の任意の位置から前記ドロップアウト領域を指定するものであってもよい。
【００２０】
また、例えば、請求項５に記載するように、前記ドロップアウトカラー指定手段は、前記ドロップアウト領域指定手段で指定された前記ドロップアウト領域毎に、前記ドロップアウトカラーを指定し、前記順序指定手段は、当該ドロップアウトカラー指定手段で指定された前記ドロップアウト領域毎のドロップアウトカラーに基づいて当該ドロップアウト領域毎に前記光源部の発光色と当該発光色の発光順序を指定し、前記モノクロ画像生成手段は、前記ドロップアウト領域指定手段で指定された前記ドロップアウト領域毎に、当該ドロップアウト領域に対して前記ドロップアウトカラー指定手段で指定されたドロップアウトカラーの画像を除去したモノクロ画像を生成するものであってもよい。
【発明の効果】
【００２１】
請求項１記載の発明の画像読取装置によれば、読取時に除去される色であるドロップアウトカラーで囲まれた画像の描かれている原稿に複数色の光を選択的に発光する光源部から照射して、移動手段によって光源部と相対移動される原稿からの反射光を、受光素子で、画像光として受光して主走査方向に１ライン分ずつ光電変換し、ドロップアウトカラー指定手段で指定されたドロップアウトカラーに基づいて、順序指定手段で、光源部の発光色と当該発光色の発光順序が指定されると、発光色切換手段が、原稿と光源部とが副走査方向に主走査方向の１ライン分に相当する距離を相対移動する毎に、当該順序指定手段の指定する発光色の光を指定された発光順序に従って切り換えさせて光源部を点灯させ、モノクロ画像生成手段が、この発光色切換手段の切り換えた光源部の発光色毎に受光素子の受光した画像光から、ドロップアウトカラー指定手段で指定されたドロップアウトカラーで形成された画像を除去したモノクロ画像を生成するに際して、光源部を、第１色を発光する第１光源と、第２色及び第３色を発光する第２光源とを備えたものとし、受光素子を、第１色及び第２色を受光する第１分光感度特性を有する第１受光素子と、第１色及び第３色を受光する第２分光感度特性を有する第２受光素子とを備えたものとし、順序指定手段で、ドロップアウトカラー指定手段で指定されたドロップアウトカラーに基づいて、光源部の発光色と発光順序として、第１色、第２色及び第３色と当該発光順序が指定されると、発光色切換手段が、当該順序指定手段の指定する第１色、第２色、第３色の発光色の光を指定された発光順序に従って切り換えて光源部の第１光源と第２光源を点灯駆動させ、第１光源から原稿を照射した際には、第１受光素子と第２受光素子が第１色のみを受光し、第２光源から原稿を照射した際には、第１受光素子が第２色を受光し、第２受光素子が第３色を受光するので、ドロップアウトカラーの画像のみをドロップアウトするのに必要な色の光源のみを切り換えて点灯させて、モノクロ画像の読み取りを行うことができ、読取速度を向上させることができるとともに、ドロップアウトカラーを正確に除去することができる。
【００２２】
請求項２記載の発明の画像読取装置によれば、原稿のドロップアウト領域を指定するドロップアウト領域指定手段でドロップアウト領域が指定されると、順序指定手段が、当該ドロップアウト領域指定手段で指定されたドロップアウト領域内で光源部の発光色と当該発光色の発光順序を指定するので、ドロップアウトの必要な領域のみで、ドロップアウトに必要な色の光源のみを切り換えて点灯させて、モノクロ画像の読み取りを行うことができ、読取速度をより一層向上させることができるとともに、ドロップアウトカラーを正確に除去することができる。
【００２３】
請求項３記載の発明の画像読取装置によれば、ドロップアウト領域指定手段が、受光素子による読取ライン単位でドロップアウト領域の指定を行うので、読取ライン単位毎に指定されたドロップアウトの必要な領域のみで、ドロップアウトに必要な色の光源のみを切り換えて点灯させて、モノクロ画像の読み取りを行うことができ、読取速度をより一層向上させるとともに、ドロップアウトカラーを正確に除去することができる。
【００２４】
請求項４記載の発明の画像読取装置によれば、ドロップアウト領域指定手段が、受光素子の読取ライン方向の任意の位置からドロップアウト領域を指定するので、読取ラインの任意の位置から指定されたドロップアウトの必要な領域のみで、ドロップアウトに必要な色の光源のみを切り換えて点灯させて、モノクロ画像の読み取りを行うことができ、読取速度をより一層向上させることができるとともに、ドロップアウトカラーを正確に除去することができる。
【００２５】
請求項５記載の発明の画像読取装置によれば、ドロップアウトカラー指定手段が、ドロップアウト領域指定手段で指定されたドロップアウト領域毎に、ドロップアウトカラーを指定し、順序指定手段が、当該ドロップアウトカラー指定手段で指定されたドロップアウト領域毎のドロップアウトカラーに基づいて当該ドロップアウト領域毎に光源部の発光色と当該発光色の発光順序を指定し、モノクロ画像生成手段が、ドロップアウト領域指定手段で指定されたドロップアウト領域毎に、当該ドロップアウト領域に対してドロップアウトカラー指定手段で指定されたドロップアウトカラーの画像を除去したモノクロ画像を生成するので、指定されたドロップアウトカラー毎に画像処理方法を変更して、２色以上のドロップアウトカラーを含む原稿においても、ドロップアウトの必要な領域のみで、ドロップアウトに必要な色の光源のみを切り換えて点灯させて、モノクロ画像の読み取りを行ことができ、読取速度をより一層向上させることができるとともに、ドロップアウトカラーをより一層正確に除去することができる。
【発明を実施するための最良の形態】
【００２６】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２７】
図１〜図１２は、本発明の画像読取装置の第１実施例を示す図であり、図１は、本発明の画像読取装置の第１実施例を適用したファクシミリ装置１の要部ブロック構成図である。なお、本実施例は、請求項１に対応するものである。
【００２８】
図１において、ファクシミリ装置１は、読取部２、書込部３、通信部４、操作部５、メモリ６、制御部７及び符号化・復号化部８等を備え、上記各部は、バス９により接続されている。
【００２９】
読取部２は、その正面概略構成図を図２に示すように、その読取部筐体１０の上面に、コンタクトガラス１１が配設されており、コンタクトガラス１１の上面には、読取対象の原稿１００がセットされるとともに、コンタクトガラス１１の上面の一方側端部に、シェーディング補正用の白基準データを提供する白基準板１２が配設されている。
【００３０】
読取部２の本体内のコンタクトガラス１１の下方には、副走査方向（図１の左右方向）に移動可能に配設されたキャリッジ１３に密着イメージセンサ１４が搭載されており、キャリッジ１３は、読取部２の本体内に配設されたスキャナモータ（移動手段）１５により駆動される。
【００３１】
密着イメージセンサ１４は、図３に示すように、ケース２０内に、当該ケース２０に形成された窓部２０ａを通して原稿１００に読取光を照射する光源部２１、原稿１００で反射された反射光を集光するレンズ２２及びレンズ２２で集光された原稿１００からの反射光が照射されて当該反射光を光電変換するイメージセンサ２３等が収納されており、上記窓部２０ａには、図示しないが透明の窓ガラスが設けられている。
【００３２】
上記光源部２１は、図４に示すように、基板３０上にＲ色（赤色）、Ｇ色（緑色）、Ｂ色（青色）の発光を行う各ＬＥＤ３１Ｒ、３１Ｇ、３１Ｂが順次一列に配置されており、各ＬＥＤ３１Ｒ、３１Ｇ、３１Ｂは、各色毎に独立して点灯可能である。
【００３３】
また、上記イメージセンサ（受信素子）２３は、図５に示すように、基板４１上に受光素子４２が一列に並べて配設されており、受光素子４２上には、Ｇ成分とＲ成分とを透過するＹ（イエロー）フィルタ４３Ｙ及びＧ成分とＢ成分を透過するＣ（シアン）フィルタ４３Ｃが、受光素子４２の１画素おきに交互に配置されている。
【００３４】
すなわち、Ｒ色のＬＥＤ３１Ｒのみが発光して当該ＬＥＤ３１Ｒの光の原稿１００での反射光がＹフィルタ４３Ｙに入射されると、Ｙフィルタ４３Ｙは、Ｇ成分とＲ成分を透過するが、Ｃフィルタ４３ＣはＧ成分とＢ成分のみを透過してＲ成分を透過しないため、イメージセンサ２３は、Ｙフィルタ４３Ｙを通過したＲ色の反射光のみを受光する。また、Ｇ色のＬＥＤ３１Ｇが発光して、当該ＬＥＤ３１Ｇの光の原稿１００での反射光がＹフィルタ４３ＹまたはＣフィルタ４３Ｃに入射されると、Ｙフィルタ４３Ｙは、Ｇ成分とＲ成分を透過し、Ｃフィルタ４３Ｃは、Ｇ成分とＢ成分を透過するため、イメージセンサ２３は、Ｙフィルタ４３Ｙを通過したＧ色の反射光とＣフィルタ４３Ｃを通過したＧ色の反射光を受光する。さらに、Ｂ色のＬＥＤ３１Ｂが発光して、当該ＬＥＤ３１Ｂの光の原稿１００での反射光がＹフィルタ４３ＹまたはＣフィルタ４３Ｃに入射されると、Ｙフィルタ４３Ｙは、Ｇ成分とＲ成分を透過し、Ｃフィルタ４３Ｃは、Ｇ成分とＢ成分を透過するため、イメージセンサ２３は、Ｃフィルタ４３Ｃを通過したＢ色の反射光のみ受光する。
【００３５】
そして、光源部２１は、第１色としてＲ色を発光する第１光源としてのＬＥＤ３１Ｒと、第２色としてのＧ色及び第３色としてのＢ色を発光する第２光源としてのＬＥＤ３１Ｇ及び第３光源としてのＬＥＤ３１Ｂを備え、イメージセンサ２３は、第１色であるＲ色と第２色であるＧ色を透過するＹフィルタ４３Ｙが位置して当該Ｙフィルタ４３Ｙを透過した光を光電変換することで第１分光感度特性を有する第１受光素子として機能するＹフィルタ４３Ｙに対応する位置のイメージセンサ画素と、第１色であるＲ色と第３色であるＢ色を透過するＣフィルタ４３Ｃが位置して当該Ｃフィルタ４３Ｃを透過した光を光電変換することで第２分光感度特性を有する第２受光素子として機能するＣフィルタ４３Ｃに対応する位置のイメージセンサ画素とを備えている。
【００３６】
読取部２は、コンタクトガラス１１上にセットされた原稿１００に、キャリッジ１３を原稿１００の副走査方向に移動させつつ、キャリッジ１３に搭載された密着イメージセンサ１４の光源部２１から読取光を照射して、当該読取光の原稿１００からの反射光をレンズ２２でイメージセンサ２３上に集光し、イメージセンサ２３で入射光を光電変換することで、原稿１００の画像を読み取る。読取部２は、読み取った原稿１００の２値化処理して、出力するが、この読取部２の読取処理については、後で詳細に説明する。
【００３７】
再び、図１において、書込部３は、例えば、電子写真方式でカラーの画像を記録紙に記録する書込部が用いられており、制御部７の制御下で動作して、読取部２の読み取った原稿１００の画像や後述する通信部４のファクシミリ受信した受信画像をカラーで記録紙に記録出力する。
【００３８】
通信部４は、電話回線が接続され、制御部７の制御下で、相手ファクシミリ装置との間でファクシミリ通信手順を実行して、読取部２の読み取った原稿１００の画像データをファクシミリ送信し、また、相手ファクシミリ装置から送信されてくる画像データをファクシミリ受信する。
【００３９】
操作部（ドロップアウトカラー指定手段）５は、テンキーやスタートキー等の各種操作キーを備えるとともに、ディスプレイ（例えば、液晶ディスプレイ）を備え、操作キーからは、送信操作等の各種命令が入力され、ディスプレイには、操作キーから入力された命令内容やファクシミリ装置１からオペレータに通知する各種情報が表示される。
【００４０】
メモリ６は、ＲＯＭ（Read Only Memory）やＲＡＭ（Random Access Memory）等で構成され、そのＲＯＭに、プログラムやシステムデータ等が予め格納されているとともに、そのＲＡＭがワークメモリとして利用される。
【００４１】
制御部７は、メモリ６内のプログラムに基づいて、メモリ６のＲＡＭをワークメモリとして利用しつつファクシミリ装置１の各部を制御して、ファクシミリ装置１としての処理を実行する。
【００４２】
符号化・復号化部８は、読取部２の読み取った原稿１００の画像データを所定のファクシミリ符号化方式で符号化し、また、受信した符号化された画像データを複合化する。
【００４３】
そして、ファクシミリ装置１は、その読取部２が、図６に示すようにブロック構成されており、読取制御部５１、光源駆動部５２及びＡ／Ｄ変換部５３等を備えている。
【００４４】
読取制御部５１は、点灯順序指定部５４、画像処理部５５及び画像メモリ５６等を備えており、光源駆動部５２には、上記ＲのＬＥＤであるＲ光源３１Ｒ、ＧのＬＥＤであるＧ光源３１Ｇ、ＢのＬＥＤであるＢ光源３１Ｂが接続されているとともに、点灯順序指定部５４が接続されている。
【００４５】
読取制御部５１の点灯順序指定部（順序指定手段）５４には、操作部５で指定されたドロップアウトカラーの指定結果であるドロップアウトカラー指定情報が入力され、点灯順序指定部５４は、操作部５から入力されるドロップアウトカラー指定情報に基づいて光源部２１の各ＬＥＤ３１Ｒ、３１Ｇ、３１Ｂの点灯の有無及と点灯順序を決定して光源駆動部５２に点灯駆動順序指示信号を出力する。
【００４６】
光源駆動部（発光色切換手段）５２は、点灯順序指定部５４からの点灯駆動順序指示信号で指定される発光色（点灯の有無）と点灯順序に従ってＬＥＤ３１Ｒ、３１Ｇ、３１Ｂを点灯させる。具体的には、光源駆動部５２は、原稿画像と光源部２１とが副走査方向に主走査方向の１ライン分に相当する距離を相対移動する毎に、点灯順序指定部５４の指定する発光色の光を指定された発光順序（点灯順序）に従って切り換える。
【００４７】
イメージセンサ２３は、原稿１００で反射されレンズ２２で集光されて、Ｙフィルタ４３ＹとＣフィルタ４３Ｃを通過して入射された反射光を光電変換して色信号として、Ａ／Ｄ変換部５３に出力し、Ａ／Ｄ変換部５３は、イメージセンサ２３から入力される色信号をデジタル変換して読取制御部５１の画像処理部５５に出力する。
【００４８】
画像処理部（モノクロ画像生成手段）５５は、イメージセンサ２３からのデジタル変換された色信号を一旦画像メモリ５６に記憶させ、必要な色信号が揃った段階で、各種画像処理、特に、ドロップアウトカラーの除去処理を行う。例えば、画像処理部５５は、必要な色信号が揃った段階で、ドロップアウトカラーを除去してモノクロ画像を生成して、出力画像として出力する。
【００４９】
次に、本実施例の作用を説明する。ファクシミリ装置１は、通常のモノクロ読取時、図７に示すように、Ｒ色とＢ色の光源であるＬＥＤ３１ＲとＬＥＤ３１Ｂを消灯して、Ｇ色の光源であるＬＥＤ３１Ｇのみを点灯駆動させ、このＬＥＤ３１Ｇのみ点灯させたときの原稿１００からの反射光をイメージセンサ２３で光電変換して、当該イメージセンサ２３の受光素子に蓄えられている電荷をシフトパルスＳＨに基づいて出力信号ＯＳとして出力させる。このイメージセンサ２３は、Ｙフィルタ４３ＹとＣフィルタ４３ＣがいずれもＧ成分を透過するため、各蓄積ラインで出力信号ＯＳとしてＧ信号を出力する。そして、このイメージセンサ２３は、主走査方向及び副走査方向でその読取位置が、図８に示すようになっている。
【００５０】
そして、いま、図９に示すように、ドロップアウトカラーである黄色で枠線Ｌｙが描かれ、当該枠線Ｌｙ内にドロップアウトカラー以外の色、例えば、黒色で文字Ｍが描かれている原稿１００を読み取るものとすると、まず、読取部２に当該原稿１００がセットされ、操作部５で、ドロップアウトカラーが指定される。いま、黄色がドロップアウトカラーであるため、操作部５では、ドロップアウトカラーとして黄色が指定される。
【００５１】
ファクシミリ装置１は、操作部５でドロップアウトカラーとして黄色が指定されると、読取制御部５１の点灯順序指定部５４が、１ライン毎に、Ｒ光源であるＬＥＤ３１ＲとＧ光源であるＬＥＤ３１Ｇを切り換えて点灯させるように点灯順序を決定し、光源駆動部５２に点灯駆動順序指示信号を出力する。
【００５２】
光源駆動部５２は、図１０に示すように、点灯順序指定部５４からの点灯駆動順序指示信号で指定される点灯順序に従って、１ライン毎に、ＬＥＤ３１ＲとＬＥＤ３１Ｇを点灯させる。
【００５３】
イメージセンサ２３は、この１ライン毎に、ＬＥＤ３１ＲとＬＥＤ３１Ｇが点灯される光源部２１からＲ色とＧ色の光の原稿１００からの反射光がＹフィルタ４３ＹとＣフィルタ４３Ｃを通過して入射される光を光電変換して、出力信号ＯＳとして出力する。
【００５４】
そして、Ｙフィルタ４３Ｙが、Ｇ成分とＲ成分を透過し、Ｃフィルタ４３Ｃが、Ｇ成分とＢ成分を透過するため、ＬＥＤ３１Ｇのみが点灯しているときには、Ｙフィルタ４３ＹとＣフィルタ４３ＣがともにＬＥＤ３１Ｇの原稿１００での反射光を透過してイメージセンサ２３の全画素に入射され、イメージセンサ２３は、図１０及び図１１に示すように、全画素からＧ信号を出力する。また、ＬＥＤ３１Ｒのみが点灯しているときには、Ｙフィルタ４３ＹはＲ成分を透過するが、Ｃフィルタ４３Ｃは、Ｒ成分を透過しないため、Ｙフィルタ４３ＹのみがＬＥＤ３１Ｒの原稿１００での反射光を透過して、イメージセンサ２３のＹフィルタ４３Ｙに対応する画素にのみ反射光のＲ成分が入射され、図１０及び図１１に示すように、イメージセンサ２３のＹフィルタ４３Ｙに対応する画素からのみ出力信号ＯＳとしてＲ信号を出力し、イメージセンサ２３のＣフィルタ４３Ｃに対応する画素からは、出力信号ＯＳを出力しない。
【００５５】
そして、画像信号処理部５５は、Ｒ信号の出力されないイメージセンサ２３の画素については、図１２に示すように、周囲の画素のＲ信号から補間してｒ信号を生成する。この場合の補間方法としては、例えば、加重平均法、最近接法、３次元コンボリューション法等を用いることができる。
【００５６】
ファクシミリ装置１は、上記読取処理を行う際の画像読取速度として、ドロップアウト画像１ラインに対して、イメージセンサ２３の出力信号ＯＳがＧ信号とＲ信号の２ライン分必要となるため、モノクロ読取時の画像読取速度の１／２の画像読取速度で読み取りを行う。
【００５７】
このように、本実施例のファクシミリ装置１は、読取時に除去される色であるドロップアウトカラーで囲まれた画像の描かれている原稿１００に複数色の光を選択的に発光する光源部２１から照射して、スキャナモータ１５によって光源部２１と相対移動される原稿１００からの反射光を、イメージセンサ２３で、画像光として受光して主走査方向に１ライン分ずつ光電変換し、操作部５で指定されたドロップアウトカラーに基づいて、点灯順序指定部５４で、光源部２１の発光色と当該発光色の発光順序が指定されると、光源駆動部５２が、原稿１００と光源部２１とが副走査方向に主走査方向の１ライン分に相当する距離を相対移動する毎に、当該点灯順序指定部５４の指定する発光色の光を指定された発光順序に従って切り換えさせて光源部２１を点灯させ、画像処理部５５が、この光源駆動部５２の切り換えた光源部２１の発光色毎にイメージセンサ２３の受光した画像光から、操作部５で指定されたドロップアウトカラーで形成された画像を除去したモノクロ画像を生成するに際して、光源部２１を、第１色であるＲ色を発光する第１光源としてのＬＥＤ３１Ｒと、第２色であるＧ色及び第３色であるＢ色を発光する第２光源としてのＬＥＤ３１Ｇ及びＬＥＤ３１Ｂとを備えたものとし、イメージセンサ２３を、Ｒ色及びＧ色を受光する第１分光感度特性（Ｙフィルタ４３Ｙ）を有する第１受光素子としてのＹフィルタ４３Ｙに対応する位置のイメージセンサ画素と、Ｒ色及びＢ色を受光する第２分光感度特性（Ｃフィルタ４３Ｃ）を有する第２受光素子としてのＣフィルタ４３Ｃに対応する位置のイメージセンサ画素とを備えたものとし、点灯順序指定部５４で、操作部５で指定されたドロップアウトカラーに基づいて、光源部２１の発光色と発光順序として、Ｒ色、Ｇ色及びＢ色と当該発光順序が指定されると、光源駆動部５２が、点灯順序指定部５４の指定するＲ色、Ｇ色、Ｂ色の発光色の光を指定された発光順序に従って切り換えて光源部２１のＬＥＤ３１ＲとＬＥＤ３１Ｇ、ＬＥＤ３１Ｂを点灯駆動させ、ＬＥＤ３１Ｒから原稿１００を照射した際には、Ｙフィルタ４３ＹとＣフィルタ４３Ｃに対応する位置のイメージセンサ画素がＲ色のみを受光し、ＬＥＤ３１Ｇ、ＬＥＤ３１Ｂから原稿１００を照射した際には、Ｙフィルタ４３Ｙに対応する位置のイメージセンサ画素がＧ色を受光し、Ｃフィルタ４３Ｃに対応する位置のイメージセンサ画素がＢ色を受光している。
【００５８】
したがって、ドロップアウトカラーの画像のみをドロップアウトするのに必要な色の光源のみを切り換えて点灯させて、モノクロ画像の読み取りを行うことができ、読取速度を向上させることができるとともに、ドロップアウトカラーを正確に除去することができる。
【実施例２】
【００５９】
図１３及び図１４は、本発明の画像読取装置の第２実施例を示す図であり、本実施例は、請求項２から請求項４に対応するものである。
【００６０】
なお、本実施例は、上記第１実施例のファクシミリ装置１と同様のファクシミリ装置に適用したものであり、本実施例の説明においては、上記第１実施例のファクシミリ装置１と同様の構成部分については、同一の符号を付してその詳細な説明を省略するとともに、図示しない部分についても、必要に応じて上記第１実施例で用いた符号をそのまま用いて説明する。
【００６１】
図１３は、本発明の画像読取装置の第２実施例を適用したファクシミリ装置１の読取部６０の要部ブロック構成図である。
【００６２】
図１３において、読取部６０は、読取制御部６１を備えているとともに、上記第１実施例と同様に、光源駆動部５２及びＡ／Ｄ変換部５３等を備えており、読取制御部６１は、点灯順序指定部６２を備えているとともに、上記第１実施例と同様の画像処理部５５と画像メモリ５６等を備えている。
【００６３】
点灯順序指定部６２には、上記第１実施例と同様に操作部５で指定されたドロップアウトカラーの指定結果であるドロップアウトカラー指定情報が入力されるとともに、操作部５で指定されたドロップアウト領域（除去領域）の指定結果であるドロップアウト領域情報が入力される。すなわち、操作部５は、ドロップアウト領域指定手段として機能している。
【００６４】
点灯順序指定部（順序指定手段）６２は、操作部５からのドロップアウトカラー指定情報とドロップアウト領域情報に基づいて光源部２１の各ＬＥＤ３１Ｒ、３１Ｇ、３１Ｂの点灯順序を決定して光源駆動部５２に点灯駆動順序指示信号を出力する。
【００６５】
そして、上記第１実施例と同様に、光源駆動部５２は、点灯順序指定部６２からの点灯駆動順序指示信号で指定される点灯順序に従ってＬＥＤ３１Ｒ、３１Ｇ、３１Ｂを点灯させ、イメージセンサ２３は、原稿１００で反射されレンズ２２で集光されて、Ｙフィルタ４３ＹとＣフィルタ４３Ｃを通過して入射された反射光を光電変換して色信号として、Ａ／Ｄ変換部５３に出力する。また、Ａ／Ｄ変換部５３は、イメージセンサ２３から入力される色信号をデジタル変換して読取制御部５１の画像処理部５５に出力し、画像処理部５５は、イメージセンサ２３からのデジタル変換された色信号を一旦画像メモリ５６に記憶させて、必要な色信号が揃った段階で、各種画像処理、特に、ドロップアウトカラーの除去処理を行う。
【００６６】
次に、本実施例の作用を説明する。ファクシミリ装置１は、図１４に示すように、ドロップアウトカラーである黄色で枠線Ｌｙが描かれ、当該枠線Ｌｙ内に所定色、例えば、黒色で文字Ｍが描かれている原稿１００を読み取るものとすると、まず、読取部２に当該原稿１００がセットされ、操作部５で、ドロップアウトカラーとドロップアウト領域Ａｙが指定される。いま、黄色がドロップアウトカラーであるため、操作部５では、ドロップアウトカラーとして黄色が指定され、図１４にＡｙで示す黄色除去領域がドロップアウト領域として指定される。
【００６７】
ファクシミリ装置１は、操作部５でドロップアウトカラーとして黄色が指定され、ドロップアウト領域Ａｙが指定されると、読取制御部６１の点灯順序指定部６２が、ドロップアウト領域Ａｙでは、ドロップアウト読取を実施するが、非ドロップアウト領域では、通常のモノクロ読取を実施する。
【００６８】
すなわち、ファクシミリ装置１は、非ドロップアウト領域では、図７に示したように、Ｒ色とＢ色の光源であるＬＥＤ３１ＲとＬＥＤ３１Ｂを消灯して、Ｇ色の光源であるＬＥＤ３１Ｇのみを点灯駆動させ、このＬＥＤ３１Ｇのみを点灯させたときの原稿１００からの反射光をイメージセンサ２３で光電変換して、当該イメージセンサ２３の受光素子に蓄えられている電荷をシフトパルスＳＨに基づいて出力信号ＯＳとして出力させる。このイメージセンサ２３は、Ｙフィルタ４３ＹとＣフィルタ４３ＣがいずれもＧ成分を透過するため、各蓄積ラインで出力信号ＯＳとしてＧ信号を出力する。そして、このイメージセンサ２３は、主走査方向及び副走査方向でその読取位置が、図８に示すようになっている。
【００６９】
そして、ファクシミリ装置１は、ドロップアウト領域Ａｙでは、図１０から図１２に示したように、図１０に示すように、読み取りを行う。すなわち、光源駆動部５２は、点灯順序指定部６２からの点灯駆動順序指示信号で指定される点灯順序に従って、１ライン毎に、ＬＥＤ３１ＲとＬＥＤ３１Ｇを点灯させ、イメージセンサ２３は、この１ライン毎に、ＬＥＤ３１ＲとＬＥＤ３１Ｇを点灯される光源部２１からＲ色とＧ色の光の原稿１００からの反射光がＹフィルタ４３ＹとＣフィルタ４３Ｃを通過して入射される光を光電変換して、出力信号ＯＳとして出力する。そして、Ｙフィルタ４３Ｙが、Ｇ成分とＲ成分を透過し、Ｃフィルタ４３Ｃが、Ｇ成分とＢ成分を透過するため、ＬＥＤ３１Ｇのみが点灯しているときには、イメージセンサ２３は、図１０及び図１１に示したように、全画素からＧ信号を出力し、また、ＬＥＤ３１Ｒのみが点灯しているときには、図１０及び図１１に示したように、イメージセンサ２３のＹフィルタ４３Ｙに対応する画素からのみ出力信号ＯＳとしてＲ信号を出力して、イメージセンサ２３のＣフィルタ４３Ｃに対応する画素からは、出力信号ＯＳを出力しない。そして、画像信号処理部５５は、Ｒ信号の出力されないイメージセンサ２３の画素については、図１２に示したように、周囲の画素のＲ信号から補間してｒ信号を生成する。この場合の補間方法としては、例えば、加重平均法、最近接法、３次元コンボリューション法等を用いることができる。
【００７０】
ファクシミリ装置１は、上記読取処理を行う際の画像読取速度として、ドロップアウト領域Ａｒでは、ドロップアウト画像１ラインに対して、イメージセンサ２３の出力信号ＯＳがＧ信号とＲ信号の２ライン分必要となるため、モノクロ読取時の画像読取速度の１／２の画像読取速度で読み取りを行う。
【００７１】
このように、本実施例のファクシミリ装置１は、原稿１００のドロップアウト領域を指定する操作部５でドロップアウト領域が指定されると、点灯順序指定部５１が、当該操作部５で指定されたドロップアウト領域内で光源部２１の発光色と当該発光色の発光順序を指定している。
【００７２】
したがって、ドロップアウトの必要な領域のみで、ドロップアウトに必要な色の光源のみを切り換えて点灯させて、モノクロ画像の読み取りを行うことができ、読取速度をより一層向上させることができるとともに、ドロップアウトカラーを正確に除去することができる。
【００７３】
また、本実施例のファクシミリ装置１は、操作部５が、イメージセンサ２３による読取ライン単位でドロップアウト領域の指定を行っている。
【００７４】
したがって、読取ライン単位毎に指定されたドロップアウトの必要な領域のみで、ドロップアウトに必要な色の光源のみを切り換えて点灯させて、モノクロ画像の読み取りを行うことができ、読取速度をより一層向上させるとともに、ドロップアウトカラーを正確に除去することができる。
【００７５】
さらに、本実施例のファクシミリ装置１は、操作部５が、イメージセンサ２３の読取ライン方向の任意の位置からドロップアウト領域を指定している。
【００７６】
したがって、読取ラインの任意の位置から指定されたドロップアウトの必要な領域のみで、ドロップアウトに必要な色の光源のみを切り換えて点灯させて、モノクロ画像の読み取りを行うことができ、読取速度をより一層向上させることができるとともに、ドロップアウトカラーを正確に除去することができる。
【実施例３】
【００７７】
図１５〜図２０は、本発明の画像読取装置の第３実施例を示す図であり、本実施例は、請求項５に対応するものである。
【００７８】
なお、本実施例は、上記第１実施例のファクシミリ装置１と同様のファクシミリ装置に適用したものであり、本実施例の説明においては、上記第１実施例のファクシミリ装置１と同様の構成部分については、同一の符号を付してその詳細な説明を省略するとともに、図示しない部分についても、必要に応じて上記第１実施例で用いた符号をそのまま用いて説明する。
【００７９】
図１５は、本発明の画像読取装置の第３実施例を適用したファクシミリ装置１の読取部７０の要部ブロック構成図である。
【００８０】
図１５において、読取部７０は、読取制御部７１を備えているとともに、上記第１実施例と同様に、光源駆動部５２及びＡ／Ｄ変換部５３等を備えており、読取制御部７１は、点灯順序指定部７２と画像処理部７３を備えているとともに、上記第１実施例と同様の画像メモリ５６等を備えている。
【００８１】
点灯順序指定部（順序指定手段）７２には、上記第１実施例と同様にドロップアウトカラー指定手段としての操作部５で指定されたドロップアウトカラーの指定結果であるドロップアウトカラー指定情報が入力されるとともに、ドロップアウト領域指定手段としての操作部５で指定されたドロップアウト領域（除去領域）の指定結果であるドロップアウト領域情報が入力される。
【００８２】
点灯順序指定部７２は、操作部５からのドロップアウトカラー指定情報とドロップアウト領域情報に基づいて光源部２１の各ＬＥＤ３１Ｒ、３１Ｇ、３１Ｂの点灯の有無と点灯順序を決定して光源駆動部５２に点灯駆動順序指示信号を出力する。
【００８３】
そして、上記第１実施例と同様に、光源駆動部５２は、点灯順序指定部７２からの点灯駆動順序指示信号で指定される点灯順序に従ってＬＥＤ３１Ｒ、３１Ｇ、３１Ｂを点灯させ、イメージセンサ２３は、原稿１００で反射されレンズ２２で集光されて、Ｙフィルタ４３ＹとＣフィルタ４３Ｃを通過して入射された反射光を光電変換して色信号として、Ａ／Ｄ変換部５３に出力する。また、Ａ／Ｄ変換部５３は、イメージセンサ２３から入力される色信号をデジタル変換して読取制御部５１の画像処理部７３に出力する。
【００８４】
画像処理部（モノクロ画像生成手段）７３には、Ａ／Ｄ変換部５３からのデジタルの色信号の他に、上記操作部５で指定されたドロップアウト領域情報が入力され、画像処理部７３は、イメージセンサ２３からのデジタル変換された色信号を一旦画像メモリ５６に記憶させて、必要な色信号が揃った段階で、各種画像処理、特に、ドロップアウトカラーの除去処理を行うが、このドロップアウトカラーの除去処理では、操作部５からのドロップアウト領域情報の指定するドロップアウト領域についてのみ、ドロップアウト領域毎にドロップアウト除去処理を行う。
【００８５】
次に、本実施例の作用を説明する。ファクシミリ装置１は、図１６に示すように、複数の領域に分かれて、ドロップアウトカラーである黄色、赤色及び青色で、それぞれ枠線Ｌｙ、枠線Ｌｒ、枠線Ｌｂが描かれ、当該枠線Ｌｙ、枠線Ｌｒ、枠線Ｌｂ内に所定色、例えば、黒色で文字Ｍが描かれている原稿１００を読み取るものとすると、まず、読取部２に当該原稿１００がセットされ、操作部５で、各領域毎に、ドロップアウトカラーである黄色、赤色及び青色とドロップアウト領域Ａｙ、ドロップアウト領域Ａｒ、ドロップアウト領域Ａｂがそれぞれ指定される。いま、原稿１００では、ドロップアウト領域Ａｙでは、黄色がドロップアウトカラーであるため、操作部５では、ドロップアウトカラーとして黄色が指定され、図１６にＡｙで示す黄色除去領域がドロップアウト領域Ａｙとして指定され、また、ドロップアウト領域Ａｒでは、赤色がドロップアウトカラーであるため、操作部５では、ドロップアウトカラーとして赤色が指定され、図１６にＡｒで示す赤色除去領域がドロップアウト領域Ａｒとして指定され、さらに、ドロップアウト領域Ａｂでは、青色がドロップアウトカラーであるため、操作部５では、ドロップアウトカラーとして青色が指定され、図１６にＡｂで示す黄色除去領域がドロップアウト領域Ａｂとして指定される。
【００８６】
ファクシミリ装置１は、操作部５で複数のドロップアウトカラーとドロップアウト領域Ａｙ、Ａｒ、Ａｂが指定されると、読取制御部７１の点灯順序指定部７２が、ドロップアウト領域Ａｙでは、黄色に対するドロップアウト読取を実施し、ドロップアウト領域Ａｒでは、赤色に対するドロップアウト読取を実施し、さらに、ドロップアウト領域Ａｂでは、青色に対するドロップアウト読取を実施し、非ドロップアウト領域では、通常のモノクロ読取を実施する。
【００８７】
すなわち、ファクシミリ装置１は、非ドロップアウト領域では、図７に示したように、Ｒ色とＢ色の光源であるＬＥＤ３１ＲとＬＥＤ３１Ｂを消灯して、Ｇ色の光源であるＬＥＤ３１Ｇのみを点灯駆動させ、このＬＥＤ３１Ｇのみ点灯させたときの原稿１００からの反射光をイメージセンサ２３で光電変換して、当該イメージセンサ２３の受光素子に蓄えられている電荷をシフトパルスＳＨに基づいて出力信号ＯＳとして出力させる。このイメージセンサ２３は、Ｙフィルタ４３ＹとＣフィルタ４３ＣがいずれもＧ成分を透過するため、各蓄積ラインで出力信号ＯＳとしてＧ信号を出力する。そして、このイメージセンサ２３は、主走査方向及び副走査方向でその読取位置が、図８に示すようになっている。
【００８８】
そして、ファクシミリ装置１は、ドロップアウト領域Ａｙでは、図１０から図１２に示したように、図１０に示すように、読み取りを行う。すなわち、光源駆動部５２は、点灯順序指定部７２からの点灯駆動順序指示信号で指定される点灯順序に従って、１ライン毎に、ＬＥＤ３１ＲとＬＥＤ３１Ｇを点灯させ、イメージセンサ２３は、この１ライン毎に、ＬＥＤ３１ＲとＬＥＤ３１Ｇを点灯される光源部２１からＲ色とＧ色の光の原稿１００からの反射光がＹフィルタ４３ＹとＣフィルタ４３Ｃを通過して入射される光を光電変換して、出力信号ＯＳとして出力する。そして、Ｙフィルタ４３Ｙが、Ｇ成分とＲ成分を透過し、Ｃフィルタ４３Ｃが、Ｇ成分とＢ成分を透過するため、ＬＥＤ３１Ｇのみが点灯しているときには、イメージセンサ２３は、図１０及び図１１に示したように、全画素からＧ信号を出力し、また、ＬＥＤ３１Ｒのみが点灯しているときには、図１０及び図１１に示したように、イメージセンサ２３のＹフィルタ４３Ｙに対応する画素からのみ出力信号ＯＳとしてＲ信号を出力して、イメージセンサ２３のＣフィルタ４３Ｃに対応する画素からは、出力信号ＯＳを出力しない。そして、画像信号処理部７３は、Ｒ信号の出力されないイメージセンサ２３の画素については、図１２に示したように、周囲の画素のＲ信号から補間してｒ信号を生成する。この場合の補間方法としては、例えば、加重平均法、最近接法、３次元コンボリューション法等を用いることができる。
【００８９】
また、ファクシミリ装置１は、ドロップアウト領域Ａｒ及びドロップアウト領域Ａｂでは、図１７に示すように、各イメージセンサ２３の蓄積ラインで、Ｒ色とＧ色の光源であるＬＥＤ３１ＲまたはＬＥＤ３１Ｇのみを点灯駆動させ、Ｂ色の光源であるＬＥＤ３１Ｂを消灯して、このＬＥＤ３１ＲとＬＥＤ３１Ｇを点灯させたときの原稿１００からの反射光をイメージセンサ２３で光電変換して、当該イメージセンサ２３の受光素子に蓄えられている電荷をシフトパルスＳＨに基づいて出力信号ＯＳとして出力させる。このイメージセンサ２３は、Ｙフィルタ４３Ｙが、Ｇ成分とＲ成分を透過し、Ｃフィルタ４３Ｃが、Ｇ成分とＢ成分を透過するため、イメージセンサ２３のＹフィルタ４３Ｙに対応する画素からは、Ｒ信号が出力され、イメージセンサ２３のＣフィルタ４３Ｃに対応する画素からは、Ｂ信号が出力される。そして、このイメージセンサ２３は、赤色除去領域であるドロップアウト領域Ａｒでは、主走査方向及び副走査方向でその読取位置が、図１８に示すようになっており、青色除去領域であるドロップアウト領域Ａｂでは、主走査方向及び副走査方向でその読取位置が、図１９に示すようになっている。
【００９０】
したがって、赤色除去領域であるドロップアウト領域Ａｒでは、Ｒ色の光源であるＬＥＤ３１Ｒのみが点灯されて、図１８のＹフィルタ４３Ｙに対応する読取位置（図１８のＲで示す読取位置）からのみ出力信号ＯＳとしてＲ信号が出力され、青色除去領域であるドロップアウト領域Ａｂでは、Ｂ色の光源であるＬＥＤ３１Ｂのみが点灯されて、図１９のＣフィルタ４３Ｃに対応する読取位置（図１９のＢで示す読取位置）からのみ出力信号ＯＳとしてＢ信号が出力される。
【００９１】
そして、画像信号処理部７３は、赤色除去領域であるドロップアウト領域Ａｒでは、Ｒ信号の出力されないイメージセンサ２３の画素については、図２０に示すように、周囲の画素のＲ信号から補間してｒ信号を生成する。この場合の補間方法としては、例えば、加重平均法、最近接法、３次元コンボリューション法等を用いることができる。
【００９２】
また、画像信号処理部７３は、青色除去領域であるドロップアウト領域Ａｂでは、Ｂ信号の出力されないイメージセンサ２３の画素については、図２１に示すように、周囲の画素のＢ信号から補間してｂ信号を生成する。この場合の補間方法としては、例えば、加重平均法、最近接法、３次元コンボリューション法等を用いることができる。
【００９３】
ファクシミリ装置１は、上記読取処理を行う際の画像読取速度としては、黄色除去領域であるドロップアウト領域Ａｙでは、通常のモノクロ読取時の画像読取速度の１／２の画像読取速度で読み取りを行い、赤色除去領域であるドロップアウト領域Ａｒ及び青色除去領域であるドロップアウト領域Ａｂでは、通常のモノクロ読取時の画像読取速度で読み取りを行う。
【００９４】
このように、本実施例のファクシミリ装置１は、操作部５で、指定されたドロップアウト領域毎に、ドロップアウトカラーを指定し、点灯順序指定部７２が、操作部５で指定されたドロップアウト領域毎のドロップアウトカラーに基づいて当該ドロップアウト領域毎に光源部２１の発光色と当該発光色の発光順序を指定し、画像処理部７３が、操作部５で指定されたドロップアウト領域毎に、当該ドロップアウト領域に対して操作部５で指定されたドロップアウトカラーの画像を除去したモノクロ画像を生成している。
【００９５】
したがって、指定されたドロップアウトカラー毎に画像処理方法を変更して、２色以上のドロップアウトカラーを含む原稿においても、ドロップアウトの必要な領域のみで、ドロップアウトに必要な色の光源のみを切り換えて点灯させて、モノクロ画像の読み取りを行ことができ、読取速度をより一層向上させることができるとともに、ドロップアウトカラーをより一層正確に除去することができる。
【００９６】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００９７】
ファクシミリ装置、複写装置、スキャナ等のいろいろな色のドロップアウトカラーでマークされた原稿から当該ドロップアウトカラーの画像を除去した画像を正確にかつ速やかに読み取る画像読取装置に適用することができる。
【図面の簡単な説明】
【００９８】
【図１】本発明の画像読取装置の第１実施例を適用したファクシミリ装置の要部ブロック構成図。
【図２】図１の読取部の正面概略構成図。
【図３】図２の読取部の密着イメージセンサの拡大正面概略構成図。
【図４】図３の密着イメージセンサの光源部の拡大平面図及びその円部拡大図。
【図５】図２の密着イメージセンサのイメージセンサの拡大平面図及びその円部拡大図。
【図６】図１のファクシミリ装置の読取部の詳細なブロック構成部。
【図７】図６の読取部によるモノクロ読取時の光源の点灯タイミング及びイメージセンサの出力を示す図。
【図８】図６の場合のイメージセンサの主走査方向及び副走査方向での読取位置を示す図。
【図９】図６の読取部で読み取るドロップアウトカラーを含む原稿の一例を示す図。
【図１０】図９の原稿を読み取る際の光源の点灯タイミング及びイメージセンサの出力を示す図。
【図１１】図９の原稿を図１０のタイミングで読み取ったときのイメージセンサの各画素の読取位置を示す図。
【図１２】図１１のＲ信号の出力されない位置のｒ信号の補間処理の説明図。
【図１３】本発明の画像読取装置の第２実施例を適用したファクシミリ装置の読取部の要部ブロック構成図。
【図１４】図１３の読取部で読み取るドロップアウトカラーを含む原稿の一例を示す図。
【図１５】本発明の画像読取装置の第３実施例を適用したファクシミリ装置の読取部の要部ブロック構成図。
【図１６】図１５の読取部で読み取るドロップアウトカラーを含む原稿の一例を示す図。
【図１７】図１６のドロップアウト領域Ａｒ及びドロップアウト領域Ａｂでの光源の点灯タイミング及びイメージセンサの出力を示す図。
【図１８】図１６の原稿を図１６のタイミングで読み取ったときのドロップアウト領域Ａｒでのイメージセンサの各画素の読取位置を示す図。
【図１９】図１６の原稿を図１６のタイミングで読み取ったときのドロップアウト領域Ａｂでのイメージセンサの各画素の読取位置を示す図。
【図２０】図１８のＲ信号の出力されない位置のｒ信号の補間処理の説明図。
【図２１】図１８のＢ信号の出力されない位置のｂ信号の補間処理の説明図。
【図２２】従来の原稿上で光源の光を加色混合した場合のラインセンサの画素間での各色の出力比を示す図。
【符号の説明】
【００９９】
１  ファクシミリ装置
２  読取部
３  書込部
４  通信部
５  操作部
６  メモリ
７  制御部
８  符号化・復号化部
９  バス
１０  読取部筐体
１１  コンタクトガラス
１２  白基準板
１３  キャリッジ
１４  密着イメージセンサ
１５  スキャナモータ
２０  ケース
２０ａ  窓部
Ｇ  原稿
２１  光源部
２２  レンズ
２３  イメージセンサ
３０  基板
３１Ｒ、３１Ｇ、３１Ｂ  ＬＥＤ
４１  基板
４２  受光素子
４３Ｙ  Ｙフィルタ
４３Ｃ  Ｃフィルタ
５１  読取制御部
５２  光源駆動部
５３  Ａ／Ｄ変換部
５４  点灯順序指定部
５５  画像処理部
５６  画像メモリ
６０  読取部
６１  読取制御部
６２  点灯順序指定部
７０  読取部
７１  読取制御部
７２  点灯順序指定部
７３  画像処理部
【図１】
2005159734.tif 000003
【図２】
2005159734.tif 000004
【図３】
2005159734.tif 000005
【図４】
2005159734.tif 000006
【図５】
2005159734.tif 000007
【図６】
2005159734.tif 000008
【図７】
2005159734.tif 000009
【図８】
2005159734.tif 000010
【図９】
2005159734.tif 000011
【図１０】
2005159734.tif 000012
【図１１】
2005159734.tif 000013
【図１２】
2005159734.tif 000014
【図１３】
2005159734.tif 000015
【図１４】
2005159734.tif 000016
【図１５】
2005159734.tif 000017
【図１６】
2005159734.tif 000018
【図１７】
2005159734.tif 000019
【図１８】
2005159734.tif 000020
【図１９】
2005159734.tif 000021
【図２０】
2005159734.tif 000022
【図２１】
2005159734.tif 000023
【図２２】
2005159734.tif 000024